(57)【要約】【課題】配布装置より直接コンテンツを入手していない視聴者によるコンテンツ再生や、視聴者により独自に編集されたデータを再生する場合でも、視聴回数の情報を常時管理することができるデジタルコンテンツ視聴実績管理システムを提供する。【解決手段】コンテンツ内に、配信者情報、通知先情報を繰り返し記述した電子透かしを埋め込み、再生時に電子透かし内にある電子透かしを読み取りその内容にしたがって再生情報を、通知先である視聴実績管理装置を対して通知することにより、視聴実績管理装置において、電子透かし内の配信者情報で特定される配信者が提供したコンテンツの視聴数として計上する。【選択図】図５
2010124036.tif 000002
【特許請求の範囲】
【請求項１】
デジタル映像データまたはデジタル音声データを含むコンテンツを保存するコンテンツ配信装置と、
前記コンテンツ配信装置よりコンテンツを受信してコンテンツを視聴するコンテンツ再生装置と、
前記コンテンツ再生装置からコンテンツを視聴した旨の通知を受信する視聴実績管理装置とから構成され、
前記コンテンツには、配信者情報と、通知先情報とを含む電子透かしが繰り返し埋め込まれているデジタルコンテンツ視聴実績管理システムであって、
前記コンテンツ配信装置は、コンテンツ提供者が作成したコンテンツを保存する手段と、
前記コンテンツ再生装置に前記コンテンツを送信する手段とを有し、
前記コンテンツ再生装置は、前記コンテンツ配信装置より前記コンテンツを受信する手段と、
前記コンテンツ提供者が作成したコンテンツの全て、または一部のコンテンツを再生する手段と、
前記コンテンツ提供者が作成したコンテンツの一部のコンテンツを再生した場合に、前記コンテンツに埋め込まれている電子透かしを修復する手段と、
前記再生したコンテンツ内に繰り返し埋め込まれた電子透かし内の配信者情報と通知先情報、あるいは、修復した電子透かし内の配信者情報と通知先情報に基づき、前記視聴実績管理装置に対して、前記配信者情報で特定される配信者のコンテンツを再生したことを通知する手段とを有し、
前記視聴実績管理装置は、前記コンテンツ再生装置より再生を実施した旨の情報を受信する手段と、
前記受信した情報に基づき、前記配信者情報で特定される配信者が作成したコンテンツの視聴数として計上する手段とを有することを特徴とするデジタルコンテンツ視聴実績管理システム。
【発明の詳細な説明】
【技術分野】
【０００１】
本発明は、デジタルコンテンツ視聴実績管理システムに係り、特に、コンテンツ全体または一部を利用者が再生した場合にその再生情報をコンテンツ作成者が常時把握し、管理するシステムに関する。
【背景技術】
【０００２】
従来、インターネット等を介したコンテンツ流通において、コンテンツの人気を表す尺度として、ダウンロード数あるいはアクセス数が一般的に用いられている。
また、コンテンツの管理手段としてＤＲＭ（Digital Rights Management）を用いた方法も用いられており、コンテンツの視聴状況などを管理することができる。
【０００３】
なお、本願発明に関連する先行技術文献としては以下のものがある。
【特許文献１】特表平１０−５１２０７４号公報
【発明の開示】
【発明が解決しようとする課題】
【０００４】
コンテンツの管理手段において、コンテンツの人気を表す尺度としてダウンロード数あるいはアクセス数を用いた場合の問題としては、ダウンロード数では利用者がコンテンツを視聴しているかどうかの尺度にはならないことが、また、アクセス数では配布装置を介さないでコンテンツを入手した場合を件数として計算できない問題がある。
また、ＤＲＭを用いたコンテンツは、権利情報管理のため視聴者によるコンテンツの編集や結合といった二次創作作業が困難であり、二次創作を含めたコンテンツ利用状況の管理手段としては使いにくいという問題があった。
本発明は、前記従来技術の問題点を解決するためになされたものであり、本発明の目的は、配布装置より直接コンテンツを入手していない視聴者によるコンテンツ再生や、視聴者により独自に編集されたデータを再生する場合でも、視聴回数の情報を常時管理することができるデジタルコンテンツ視聴実績管理システムを提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の課題を解決するために、本発明は、デジタル映像データまたはデジタル音声データを含むコンテンツを保存するコンテンツ配信装置と、前記コンテンツ配信装置よりコンテンツを受信してコンテンツを視聴するコンテンツ再生装置と、前記コンテンツ再生装置からコンテンツを視聴した旨の通知を受信する視聴実績管理装置とから構成され、前記コンテンツには、配信者情報と、通知先情報とを含む電子透かしが繰り返し埋め込まれているデジタルコンテンツ視聴実績管理システムであって、前記コンテンツ配信装置は、コンテンツ提供者が作成したコンテンツを保存する手段と、前記コンテンツ再生装置に前記コンテンツを送信する手段とを有し、前記コンテンツ再生装置は、前記コンテンツ配信装置より前記コンテンツを受信する手段と、前記コンテンツ提供者が作成したコンテンツの全て、または一部のコンテンツを再生する手段と、前記コンテンツ提供者が作成したコンテンツの一部のコンテンツを再生した場合に、前記コンテンツに埋め込まれている電子透かしを修復する手段と、前記再生したコンテンツ内に繰り返し埋め込まれた電子透かし内の配信者情報と通知先情報、あるいは、修復した電子透かし内の配信者情報と通知先情報に基づき、前記視聴実績管理装置に対して、前記配信者情報で特定される配信者のコンテンツを再生したことを通知する手段とを有し、前記視聴実績管理装置は、前記コンテンツ再生装置より再生を実施した旨の情報を受信する手段と、前記受信した情報に基づき、前記配信者情報で特定される配信者が作成したコンテンツの視聴数として計上する手段とを有することを特徴とする。
【発明の効果】
【０００６】
本願において開示される発明のうち代表的なものによって得られる効果を簡単に説明すれば、下記の通りである。
本発明によれば、配布装置より直接コンテンツを入手していない視聴者によるコンテンツ再生や、視聴者により独自に編集されたデータを再生する場合でも、視聴回数の情報を常時管理することが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例のデジタルコンテンツ視聴実績管理システムの概略構成を示すブロック図である。
図１において、１００はコンテンツを利用者に提供するコンテンツ配信装置、１０１は配信者が提供するコンテンツ（配信者提供）、１０３は利用者が保存しているコンテンツ（利用者視聴）、１０２はコンテンツ（利用者視聴）１０３を視聴するためのコンテンツ再生装置であり、１０４はコンテンツ再生装置１０２でコンテンツを再生した際の再生実績をコンテンツ再生装置１０２より受信する視聴実績管理装置、１０５はコンテンツ再生装置１０２より受信した視聴情報を表す。
【０００８】
図２は、配信者より提供されるコンテンツ情報の構成を示す図である。
図２において、２００は配信者が提供するコンテンツ全体を示し、２０１はコンテンツのフォーマットや大きさを表すヘッダ部、２０２はコンテンツの本体となるデータ部、２０３はデータ部に埋め込んだ電子透かしを示す。
図３は、図２に示す電子透かし２０３に記述されている情報を示す図である。
電子透かし２０３には、先頭部（所定の文字列）２１０と、配信者情報２１１と、通知先情報（視聴実績管理装置）２１２と、最後部（所定の文字列）２１３とが記述されている。
このように、電子透かし２０３には、配信者に関する情報を記述しており、サイズは一定とする。データ部２０２の中には電子透かし２０３が繰り返し埋め込まれており、コンテンツを編集、分割した場合でも分割した各コンテンツの中に電子透かし２０３の全体、あるいは一部が存在するようになっている。
図４は、配信されたコンテンツを編集あるいは分割した際のコンテンツ情報の構成を示す図である。
図４において、３００は編集を行ったコンテンツ全体を示し、３０１はコンテンツのフォーマットや大きさを表すヘッダ部、３０２はデータ部のうち利用者が独自に追加した部分であるデータ部（独自追加）を示し、３０３は配信されたコンテンツのデータ部の一部であるデータ部（配信者提供）を示し、３０４および３０５はコンテンツに埋め込んだ部分電子透かしを示す。
【０００９】
図５は、本実施例のデジタルコンテンツ視聴実績管理システムにおける、コンテンツ再生時の処理手順を示すフローチャートである。
以下、図５を用いて、本実施例のデジタルコンテンツ視聴実績管理システムにおける、コンテンツ再生時の処理手順について説明する。
利用者が、コンテンツ再生装置１０２を用いて、コンテンツを再生すると（ステップ４０１）、コンテンツ再生装置１０２は、コンテンツを再生する一方でコンテンツ内にある電子透かしを検索する（ステップ４０２）。
ステップ４０２で検索結果に基づき、電子透かし（図２の２０３）の先頭部が存在するか否かを判断する（ステップ４０３）。ステップ４０３で、電子透かしの先頭部がない場合には処理を終了する。
ステップ４０３で、電子透かしの先頭部分が有った場合には、電子透かしの最後部が存在するか否かを判断する（ステップ４０４）。
ステップ４０４で、電子透かしの最後部が有った場合には、電子透かしが存在すると判定し、再生したコンテンツ内に繰り返し書き込まれた電子透かし内の通知先情報２１２に基づき、視聴実績管理装置１０４に対して、電子透かし内の配信者情報２１１で特定される配信者が提供したコンテンツを再生したことを通知する（ステップ４０５）。
視聴実績管理装置１０４は、コンテンツ再生装置１０２から受信した情報に基づき、電子透かし内の配信者情報２１１で特定される配信者が提供したコンテンツの視聴数として計上する。
【００１０】
ステップ４０４で、電子透かしの最後部が無かった場合には、コンテンツが利用者により編集されるなどの理由で電子透かしが分割されているものと判断し、コンテンツの先頭部分から再度電子透かしを検索し（ステップ４０６）、存在する電子透かしの断片から元の電子透かしを復元できるか否かを判定する（ステップ４０７）。ステップ４０７で、修復が不可能な場合は、処理を終了する。
ステップ４０７で、修復が可能な場合には、電子透かしを修復し（ステップ４０８）、修復した電子透かし内の通知先情報２１２に基づき、視聴実績管理装置１０４に対して、電子透かし内の配信者情報２１１で特定される配信者が提供したコンテンツを再生したことを通知する（ステップ４０５）。
視聴実績管理装置１０４は、コンテンツ再生装置１０２から受信した情報に基づき、電子透かし内の配信者情報２１１で特定される配信者が提供したコンテンツの視聴数として計上する。
以上、本発明者によってなされた発明を、前記実施例に基づき具体的に説明したが、本
発明は、前記実施例に限定されるものではなく、その要旨を逸脱しない範囲において種々変更可能であることは勿論である。
【図面の簡単な説明】
【００１１】
【図１】本発明の実施例のデジタルコンテンツ視聴実績管理システムの概略構成を示すブロック図である。
【図２】配信者より提供されるコンテンツ情報の構成を示す図である。
【図３】図２に示す電子透かし内の情報を示す図である。
【図４】配信されたコンテンツを編集あるいは分割した際のコンテンツ情報の構成を示す図である。
【図５】本発明の実施例のデジタルコンテンツ視聴実績管理システムにおける、コンテンツ再生時の処理手順を示すフローチャートである。
【符号の説明】
【００１２】
１００  コンテンツ配信装置
１０１  コンテンツ（配信者提供）
１０２  コンテンツ再生装置
１０３  コンテンツ（利用者視聴）
１０４  視聴実績管理装置
１０５  視聴情報
２００，３００  コンテンツ全体
２０１，３０１  ヘッダ部
２０２  データ部
２０３  電子透かし
２１０  先頭部（所定の文字列）
２１１  配信者情報
２１２  通知先情報（視聴実績管理装置）
２１３  最後部（所定の文字列）
３０２  データ部（独自追加）
３０３  データ部（配信者提供）
３０４，３０５  部分電子透かし
【図１】
2010124036.tif 000003
【図２】
2010124036.tif 000004
【図３】
2010124036.tif 000005
【図４】
2010124036.tif 000006
【図５】
2010124036.tif 000007